(57)【要約】【課題】  従来の回路構成を変更することなく、フィルムの傷、埃等の傷消し処理に用いる傷消し用データをフィルムのコマ毎に求め、画像の傷消し処理を好適に行なう。【解決手段】  プレスキャン時は、スキャナ１１に読み取られた１コマ分のＲ，Ｇ，Ｂデータ及びＤデータは、傷消し回路基板１２のメモリ制御部１２１から画像処理回路部１３に転送され、更に画像処理回路部１３から制御部１４に転送され、閾値算出部１４４によって１コマ分のＲデータ及びＤデータから傷画像検出のための閾値が算出され、閾値記憶部１２４に設定される。本スキャン時にはノイズ補正部１２３より閾値記憶部１２４に記憶される閾値と各画素のＤデータの値との差分をとることで傷等による各画素の損失分を算出し、ノイズ補正部１２３により各画素のＲ，Ｇ，Ｂデータに損失分の値を加算することで、可視画像データの傷消し処理を行なう。【選択図】      図２                                                                              
2005080237.tif 000002
【特許請求の範囲】
【請求項１】
光源から出射された可視光及び赤外光であって画像が各コマに撮影されたフィルムを透過して得られた可視画像データ及び赤外画像データを読み取る読取部と、読取部から所定のデータバスを介して出力された可視画像データ及び赤外画像データを一時的に記憶する複数コマ分の画像メモリを有し、読取部で読み取られた可視画像データに傷消し処理を施す傷消し処理部と、傷消し処理部から所定のデータバスを介して出力された可視画像データを一時的に記憶する複数コマ分の画像メモリを有し、傷消し処理が施された画像データに所定の画像処理を施すと共にプリンタに出力する画像処理部と、読取部、傷消し処理部及び画像処理部の動作を制御する制御部とを備え、
前記制御部は、前記読取部に対してコマ画像を所定の粗さで読み取るプレスキャンと、プレスキャンで読み取られた画像の状況に応じた所定の細かさでコマ画像を読み取る本スキャンとをこの順で行わせ、本スキャン時には、傷消し処理部で処理された各画素毎の可視画像データを前記データバスを用いて順次前記画像処理部に出力し、プレスキャン時には、傷消し処理部に取り込まれた各画素毎の可視画像データと赤外画像データとを前記所定のデータバスを用いて交互に前記画像処理部を介して取り込むと共に、取り込んだ可視画像データと赤外画像データとからコマ画像内の傷を消すための傷消し用データを作成し、かつ傷消し用データを前記傷消し処理部に出力するものであり、
前記傷消し処理部は、本スキャンで読み取られた可視画像に対して前記傷消し用データで傷消し処理を行うものであることを特徴とするフィルム画像処理装置。
【請求項２】
前記可視画像データは、Ｒ、Ｇ、Ｂの３色分の画像データであり、前記データバスは３色分の画像データを伝送するものであり、前記制御部は、前記赤外画像の１画素分の画素データを前記３色分の画像データのデータバスのそれぞれに出力するものであることを特徴とする請求項１記載のフィルム画像処理装置。
【請求項３】
請求項１又は２記載のフィルム画像処理装置と、前記画像処理部からの処理画像を印画紙上に形成するプリンタとからなることを特徴とする写真処理装置。
【発明の詳細な説明】
【技術分野】
【０００１】
本発明は、フィルムの画像データの傷消し処理を行うフィルム画像処理装置及び写真処理装置に関する。
【背景技術】
【０００２】
従来、現像済みフィルムの各コマの画像を光学的に読み取り（スキャンし）、次いで読み取った画像を露光装置を用いてシート状の感光紙に画像形成する写真処理装置が知られている。このような写真処理装置は、光源とＣＣＤ等のラインセンサを備えると共にフィルムを光源とラインセンサ間で所定速度で移送する搬送系を備え、画像をライン単位で順次撮像してコマの画像を読み取るフィルムスキャナが一般的に採用されている。近年、フィルムスキャナに赤外光を同時に射出する光源及び赤外光を受光し得るＣＣＤ等の赤外光用ラインセンサを併用することで、可視光によるフィルム画像の読み取りと、赤外光によるフィルム画像の読み取りとを同期して行うものが提案されている（例えば、特許文献１参照）。これは、フィルムを透過する光のうち可視光はフィルム上の画像自体とフィルムに付いている傷、埃等にも反応する一方、フィルムを透過する光のうち赤外光が画像自体には反応せず（画像の濃淡の影響を受けず）、フィルムに付いている傷、埃等のみに反応することに着目したもので、読み取った画像から傷の影響を取り除くいわゆる傷消しを可能にしている。
【０００３】
写真処理装置は、フィルムスキャナから入力された赤外画像の各画素値と予め設定されている閾値とを比較し、赤外画像の画素値が閾値より低い場合は当該画素を傷画素であると判断し、この傷画像情報を利用して可視光で撮像した画像に含まれる傷画像を画像処理技術で削除する傷消し回路基板と、傷消し回路基板から傷消し処理された可視画像データを順次受信して、フィルム１コマ分の可視画像データとしてメモリに格納した時に、プリンタ等に出力する画像処理回路基板とを備えている。
【特許文献１】特開平２００１−１５７００３号公報
【発明の開示】
【発明が解決しようとする課題】
【０００４】
傷画像を検出するための閾値として、予め設定された固定値を用いているが、固定値ではコマ毎に正確に傷画像を検出することができないという問題点があった。即ち、各コマ毎に適正な閾値を得るために各コマの赤外画像データが必要であるが、従来の傷消し回路基板は、フィルムスキャナで読み取られた可視画像データ及び赤外画像データを画像メモリの所定アドレスに書き込み、傷消し処理後に可視画像データを読み出し、画像処理回路部に出力するメモリ制御部を有し、メモリ制御部による画像メモリの読み出しアドレスは予め可視画像データが書き込まれているアドレスに設定されているものであり、赤外画像データを読み出し、出力する回路構成は不要であった。そのため、傷消し回路基板から画像処理回路部へのデータバスは、赤、緑、青各色の画像データを伝送するものであった。
【０００５】
本発明は、上記問題点を解決するためになされたものであり、従来の回路構成を変更することなく、傷消し処理に用いる傷消し用データをフィルムのコマ毎に求め得て、画像の傷消し処理を確実に行なうことができるフィルム画像処理装置及び写真処理装置を提供することを目的とする。
【課題を解決するための手段】
【０００６】
請求項１に係るフィルム画像処理装置は、光源から出射された可視光及び赤外光であって画像が各コマに撮影されたフィルムを透過して得られた可視画像データ及び赤外画像データを読み取る読取部と、読取部から所定のデータバスを介して出力された可視画像データ及び赤外画像データを一時的に記憶する複数コマ分の画像メモリを有し、読取部で読み取られた可視画像データに傷消し処理を施す傷消し処理部と、傷消し処理部から所定のデータバスを介して出力された可視画像データを一時的に記憶する複数コマ分の画像メモリを有し、傷消し処理が施された画像データに所定の画像処理を施すと共にプリンタに出力する画像処理部と、読取部、傷消し処理部及び画像処理部の動作を制御する制御部とを備え、前記制御部は、前記読取部に対してコマ画像を所定の粗さで読み取るプレスキャンと、プレスキャンで読み取られた画像の状況に応じた所定の細かさでコマ画像を読み取る本スキャンとをこの順で行わせ、本スキャン時には、傷消し処理部で処理された各画素毎の可視画像データを前記データバスを用いて順次前記画像処理部に出力し、プレスキャン時には、傷消し処理部に取り込まれた各画素毎の可視画像データと赤外画像データとを前記所定のデータバスを用いて交互に前記画像処理部を介して取り込むと共に、取り込んだ可視画像データと赤外画像データとからコマ画像内の傷を消すための傷消し用データを作成し、かつ傷消し用データを前記傷消し処理部に出力するものであり、前記傷消し処理部は、本スキャンで読み取られた可視画像に対して前記傷消し用データで傷消し処理を行うものであることを特徴とする。
【０００７】
請求項２に係るフィルム画像処理装置は、請求項１記載のフィルム画像処理装置において、前記可視画像データは、Ｒ、Ｇ、Ｂの３色分の画像データであり、前記データバスは３色分の画像データを伝送するものであり、前記制御部は、前記赤外画像の１画素分の画素データを前記３色分の画像データのデータバスのそれぞれに出力するものであることを特徴とする。
【０００８】
請求項３に係る写真処理装置は、請求項１又は２記載のフィルム画像処理装置と、前記画像処理部からの処理画像を印画紙上に形成するプリンタとからなることを特徴とする。
【発明の効果】
【０００９】
請求項１に係るフィルム画像処理装置によれば、プレスキャン時での傷消し基板によるデータ読み出し制御をプレスキャン時特有のものに切り替えて、傷消し処理部から画像処理回路部を介して可視画像及び赤外画像を取り込むようにしたので、従来の傷消し基板，画像処理回路部及びそのデータバスの構成を変更することなく、コマ画像単位で傷消し用データを作成することができ、傷消し処理部は、傷消し用データにより確実に傷消し処理を行なうことができる。
【００１０】
請求項２に係るフィルム画像処理装置によれば、前記可視画像は、Ｒ、Ｇ、Ｂの３色分の画像データであり、前記バスは３色分の画像データを伝送するものであり、前記制御部は、前記赤外画像の１画素分の画素データを前記３色分の画像データのバスのそれぞれで重複して伝送するものであるので、従来のデータバスを用いて可視画像データ及び赤外画像データを効率的に制御部に伝送することができ、従来の構成で簡易に傷消し処理を行い高画質の画像を得ることができる。
【００１１】
請求項３に係る写真処理装置は、請求項１又は２記載のフィルム画像処理装置と、前記画像処理部からの処理画像を印画紙上に形成するプリンタとからなるので、従来の構成を用いて画像の傷消し用データをコマ毎に作成し、画像の傷消し処理をコマ毎に好適に行なうことができ、高画質の画像を得ることができる。
【発明を実施するための最良の形態】
【００１２】
本発明の写真処理装置の一実施形態について説明する。本実施形態に係る写真処理装置の外観構成を図１に示す。写真処理装置は、フィルム上に各コマに撮影された画像を一旦スキャナで読み込み、印画紙片上にプリントするものである。
【００１３】
図１に示すように、写真処理装置は、フィルム上に形成された画像を読み取るスキャナ１１と、スキャナ１１で読み取ったディジタル画像データに傷消し処理等の所定の処理を施す画像データ処理部と、制御部とからなるデータ処理部１と、印画紙上にＲ（赤）、Ｇ（緑）及びＢ（青）光を入力部１からの各色画素のデータに対応する光量で露光し、露光された印画紙を現像処理することによって画像を形成する画像形成部(プリンタ)２とで構成されている。
【００１４】
画像形成部２は、それぞれ幅の異なる複数種類（例えば２種類）の長尺印画紙を巻回収納したマガジン２１，２２と、マガジン２１又は２２から引き出した印画紙を所定サイズに切断し、切断された印画紙片上に画像データ処理部２から送信された画像を露光する露光部２３と、露光された印画紙片を現像、漂白、定着及び安定化処理する現像処理部２４と、現像された印画紙片を乾燥する乾燥部２５と、乾燥された印画紙片を例えばフィルム単位に仕分けるソート部２６等で構成されている。
【００１５】
図２は写真処理装置の構成を示すブロック図である。
【００１６】
スキャナ１１は、フィルムに形成された画像を光学的に読み取るものである。傷消し回路基板１２は、スキャナ１１とデータバスＢ１で接続され、スキャナ１１で読み取られた可視画像データに傷消し処理を施すものである。画像処理回路部２は、傷消し回路基板１２とデータバスＢ２で接続されると共に画像形成部３とデータバスＢ４で接続されており、傷消し回路基板１２により傷消し処理が施された可視画像データとデータバスＢ２を介して受信し、可視画像データに所定の画像処理を施した後、画像形成部３に出力する。
【００１７】
制御部１４は，画像処理回路部２とデータバスＢ３で接続されており、例えば、マイクロコンピュータを備えると共に、キーボード等の入力操作部１４１と、スキャナ１１による読み取り画像、画像処理回路部２による処理画像の確認、入力操作部１４１からの各種入力情報の確認のために画像データ及び入力情報を表示するモニタ１４０とを備える。制御部１４は、所定の画像処理やプリント処理の指示が入力操作部１４１から入力されると、プリントする画像データに所定の処理を施すための指示、データの入出力指示等をスキャナ１１、傷消し回路基板１２、画像処理回路部１３に対して行わせるものである。各データバスは画像データに注目すると、データバスＢ１は、可視画像のＲ，Ｇ，Ｂデータ及び赤外画像のＤデータをそれぞれ伝送する４本のバスから構成され、データバスＢ２，３，４は、可視画像のＲ、Ｇ、Ｂデータそれぞれ伝送する３本のバスから構成されるものである。
【００１８】
スキャナ１１は、光源１１１、コールドミラー１１２、可視用ラインセンサ１１３、赤外用ラインセンサ１１４及びフィルム搬送機構１１５等を備える。
【００１９】
光源１１１は、可視光成分及び赤外光成分を有する光を写真フィルムにライン状に照射する。光源１１１としては、例えばハロゲンランプや発光ダイオード等が用いられる。コールドミラー１１２は、光源１１１と第１、赤外用ラインセンサ１１３，１１４の間に介設され、フィルムを透過した光を可視光成分及び赤外光成分に分離する。可視用ラインセンサ１１３は、コールドミラー１１２で反射された可視光を受光し、光量に応じたレベルの電気信号を得る。赤外用ラインセンサ１１４は、コールドミラー１１２を透過した赤外光を受光し、光量に応じたレベルの電気信号を得る。
【００２０】
可視用ラインセンサ１１３は、赤色（Ｒ）、緑色（Ｇ）、青色（Ｂ）の各色成分の光を受光する３個のライン状のＣＣＤを備えている。各ＣＣＤは、フィルムの長尺方向と直交する方向（幅方向）である主走査方向に複数、例えば５０００個の受光素子がライン状に配列されており、各受光素子の表面には対応する色のフィルタが設けられている。赤外用ラインセンサ１１４は、赤外線の波長帯域の光（赤外光）を受光するライン状のＣＣＤを備えている。この赤外用ラインセンサ１１４は、主走査方向に複数、例えば５０００個の受光素子がライン状に配列され、受光素子の表面には赤外光を透過するフィルタが設けられている。
【００２１】
フィルム搬送機構１１５は、主走査方向と直交する方向である副走査方向にフィルムを所定速度で搬送することにより、フィルムから１ライン分の画像が順次可視用ラインセンサ１１３及び赤外用ラインセンサ１１４によって読み取られ、Ｒ、Ｇ及びＢの色成分の画像信号並びに赤外成分の画像信号に光電変換される。赤外用ラインセンサ１１４を所定時間周期で露光動作を行わせると共にフィルムが搬送されることでフィルムのコマに対しての読み取りが行なわれることとなる。
【００２２】
傷消し回路基板１２は、メモリ制御部１２１、画像メモリ１２２、ノイズ補正部１２３、閾値記憶部１２４を備えている。メモリ制御部１２１は、画像メモリ１２２に記憶される画像データの読み出し、書き込み制御を行なう。スキャナ処理には、フィルムに含まれる各画像の露光状態等を調べるために、予めフィルムに含まれる全ての画像を粗く読み取るプレスキャンモードと、プレスキャンによって得られた露光状態に応じて、フィルムに含まれる画像を高精細等で読み取る本スキャンモードとを有している。本スキャンモードにおいては、可視用ラインセンサ及び赤外用ラインセンサ１１３，１１４で読み取られたフィルム１コマ分の画素データを全て画像メモリ１２２に記憶するのに対し、プレスキャンモードにおいては、例えば主走査方向の画像データを間引きするなどして取り込んで画像メモリ１２２に記憶する。
【００２３】
画像メモリ１２２は、ＲＡＭ等で構成され、プレスキャンモードで読み取った画像（プレスキャン画像）を記憶する領域と、本スキャンモードで読み取った画像（本スキャン画像）を記憶する領域とを含み、メモリ制御部１２１が読み取ったプレスキャン画像及び本スキャン画像をコマ番号と対応づけて、対応する領域に記憶する。また、画像メモリ１２２には、プレスキャン時または本スキャン時に可視用ラインセンサ１１３により読み取られた可視画像（Ｒ、Ｇ、Ｂ）データを画素毎に記憶する領域（可視画像領域）と、赤外用ラインセンサ１１４により読み取られた赤外画像（Ｄ）データを画素毎に記憶する領域（赤外画像領域）とを含む。
【００２４】
ノイズ補正部１２３は、閾値記憶部１２４に記憶される閾値から画像メモリ１２２に記憶される赤外画像の各画素値を減算することにより、傷による各画素の画素値の損失分を算出し、各画素のＲ，Ｇ，Ｂデータのそれぞれに対し損失分を画素ごとに加算することにより、画像メモリ１２２に記憶された画像データに補正処理を施し、可視画像中に含まれるフィルムの傷等を除去する。
【００２５】
画像処理回路部１３は、メモリ制御部１３１、画像メモリ１３２及び画像処理部１３３を備える。
【００２６】
メモリ制御部１３１は、画像メモリ１３２に記憶される画像データの読み出し及び書き込み制御を行なう。画像メモリ１３２はＲＡＭ等で構成され、プレスキャン画像及び本スキャン画像を記憶する領域を有し、各領域は更に可視画像（Ｒ、Ｇ、Ｂ）データを記憶する可視画像領域と、赤外画像（Ｄ）データを記憶する赤外画像領域とに分けられている。画像処理部１３３は、画像メモリ１３２に記憶される可視画像データに基づき、露出値の変更やＲ，Ｇ，Ｂ色の色合いの修正等を行なう。
【００２７】
制御部１４は、ＣＰＵ（Central  Processing  Unit）、ＲＯＭ（Read  Only  Memory）及びＲＡＭ（Random  Access  Memory）等から構成され、ＲＯＭ内蔵のプログラムに従ってスキャナ１１、傷消し回路基板１２、画像処理回路部１３に対する動作制御を行なう。制御部１４は、プレスキャンモード、本スキャンモードの各モードに応じてスキャナ１１、傷消し回路基板１２及び画像処理回路部１３を制御するプレスキャン制御部１４２及び本スキャン制御部１４２を備える。
【００２８】
プレスキャン制御部１４２は、プレスキャン時には傷消し回路基板１２に赤外画像データ及び可視画像データの出力指示を出力することで、メモリ制御部１２１は画像メモリ１２２からのデータ読み出しアドレスを可視画像領域及び赤外画像領域に設定し、可視画像領域及び赤外画像領域から可視画像データ及び赤外画像データを読み出し、画像処理回路部１３に出力する。また、プレスキャン制御部１４２は、画像処理回路部１３に対し赤外画像データ及び可視画像データの出力指示を行なうと共に、その出力先を制御部１４に設定する。これにより、画像処理回路部１３は画像メモリ１３２からのデータ読み出しアドレスを可視画像領域及び赤外画像領域に設定し、可視画像領域及び赤外画像領域から可視画像データ及び赤外画像データを読み出し、制御部１４に出力する。また、制御部１４は閾値算出部１４４を備え、閾値算出部１４４は、画像処理回路部１３から受信した赤外画像データ及び可視画像データから傷画素を検出する際の閾値を算出し、当該閾値を閾値記憶部１２４に設定する。
【００２９】
本スキャン制御部１４２は、本スキャン時に傷消し回路基板１２に傷消し処理指示を行なうと共に可視画像データの出力指示を出力することで、ノイズ補正部１２３は、閾値記憶部１２４に記憶されている閾値に基づき画像メモリ１２２に書き込まれている可視画像データの傷の検出と傷消し処理を行い、メモリ制御部１２１は、画像メモリ１２２からのデータ読み出しアドレスを可視画像領域に設定し、傷消し処理がなされた可視画像データを読み出し、画像処理回路部１３に出力する。また、本スキャン制御部１４２は、画像処理回路部１３に対し可視画像データの出力指示を行うと共に、その出力先を画像形成部２に設定する。これにより、画像処理回路部１３は画像メモリ１３２からのデータ読み出しアドレスを可視画像領域に設定し、可視画像領域から可視画像データを読み出し、画像形成部２に出力する。
【００３０】
露光部２３は、本実施形態では、レーザ方式のものが採用されている。露光部２３は、それぞれ赤、緑及び青色のレーザビームを射出するレーザ光源と、レーザ光源から射出されたレーザビームを画像データに応じて変調する音響光学変調素子と、変調されたレーザビームを合波する合波プリズムと、合波されたレーザビームを印画紙Ｐの幅方向（主走査方向）に走査するポリゴンミラー等を備えている。現像処理部２４は、それぞれ現像、漂白、定着及び安定化液を貯蔵する４つのタンクを備えている。露光部２３が露光することにより形成された印画紙Ｐの潜像は、現像、漂白、定着及び安定化液に順次浸漬されることにより顕在化される。
【００３１】
図３は、プレスキャンモード及び本スキャンモードによる制御部１４の動作を説明するためのフローチャートである。
【００３２】
まず、キーボード及びマウス等による入力操作部１４１によってスキャン開始要求が入力されると、ステップＳ１においてプレスキャン制御部１４２からスキャナ１１に対しプレスキャン開始指示が出力される。
【００３３】
スキャナ１１によるプレスキャンが開始する。光源１１１から照射される赤外光及び可視光はフィルムを透過し、可視用ラインセンサ１１３及び赤外用ラインセンサ１１４によりそれぞれ電気信号に変換され、各画素のＲ，Ｇ，Ｂデータ及びＤデータが順次傷消し回路基板１２に出力され、画像メモリ１２２に記憶される。図４(ａ)は、プレスキャン時に画像メモリ１２２に記憶される画像データを説明するための図であり、画像メモリ１２２の所定アドレスに各画素のＲ，Ｇ，Ｂデータ及びＤデータが記憶される。
【００３４】
次に、ステップＳ３においてプレスキャン制御部１４２は、傷消し回路基板１２に対し可視画像データ及び赤外画像データの出力指示を行なう。メモリ制御部１２１は、データの読み出しアドレスを画像メモリ１２２の可視画像領域及び赤外画像領域に設定し、各領域に記憶される各画素のＲ，Ｇ，Ｂデータ及びＤデータを読み出し、画像処理回路部１３に順次出力する。図４（ｂ）は、プレスキャン時に傷消し回路基板１２から画像処理回路部１３に出力される画像データを説明するための図であり、メモリ制御部１２１は、１画素のＲ，Ｇ，ＢデータをデータバスＢ２により画像処理回路部１３に送信した後、当該画素のＤデータを３個分としてＲ，Ｇ，Ｂの各データの場合と同様のアドレス設定方法に従って、データバスＢ２により画像処理回路部１３に出力する。このようにメモリ制御部１２１は、データバスＢ２を用いて各画素のＲ，Ｇ，Ｂデータ及びＤデータを交互に送信していくが、Ｄデータは複数個送信する必要は無く、少なくとも１つのバスのみで出力するようにしてもよい。
【００３５】
画像処理回路部１３に入力されたＲ，Ｇ，Ｂデータ及びＤデータは、メモリ制御部１３１により順次画像メモリ１３２に記憶され、１コマ分のＲ，Ｇ、Ｂデータ及びＤデータが画像メモリ１３２に記憶されると、画像処理回路部１３からプレスキャン制御部１４２に対しデータ格納信号が出力される。ステップＳ５において、プレスキャン制御部１４２によりデータ格納信号が受信されたか否かが判断され、データ格納信号が受信されたと判断されると、ステップＳ７に進み、画像処理回路部１３に対し可視画像データ及び赤外画像データの出力指示がなされると共にデータ出力先として制御部１４が設定される。これにより、メモリ制御部１３１は、画像メモリ１３２の可視画像領域及び赤外画像領域から各画素のＲ，Ｇ，Ｂデータ及びＤデータを読み出し、各画素のＲ，Ｇ，Ｂデータ及びＤデータ交互にデータバスＢ２に出力することで、可視画像データ及び赤外画像データを制御部１４に出力する。
【００３６】
ステップＳ９において、閾値算出部１４４によって１コマ分のＲ，Ｇ、Ｂデータ及びＤデータから赤外画像に含まれる傷画像を検出するための閾値が算出される。図５は、閾値算出部１４４による閾値算出方法の一例を説明するためのフローチャートである。ステップＳ３１において、閾値算出部１４４は、１コマ分のＤデータから赤外画像における全画素の画素値の平均値である赤外平均値を算出する。ステップＳ３３において、閾値算出部１４４は、第１の変数X＝赤画像（Ｒデータ）の画素値−赤外画像（Ｄデータ）の画素値＋赤外平均値と、第２の変数Y＝赤画像(Ｒデータ)の画素値とを画素ごとに求め、ステップＳ３５において、最小二乗法を用いて、回帰式Y=ａＸ＋ｂの係数ａ，ｂを求める。また、係数ｂ（Ｙ切片）は、赤外平均値が傷、埃等の影響を受け、非傷画素の値から低下した低下分を表しているので、ステップＳ３７において、閾値（非傷画素の値）＝赤外平均値＋ｂの式に各値を代入して、閾値を求める。ステップＳ１１に戻り、プレスキャン制御部１４２は、閾値算出部１４４により算出された閾値を傷消し回路基板１２に出力すると共に閾値設定指示を行い、傷消し回路基板１２は、プレスキャン制御部１４２から受信した閾値を閾値記憶部１２４に設定する。
【００３７】
次に、ステップＳ１３において本スキャン制御部１４２からスキャナ１１に対し本スキャン開始指示が出力されると、フィルム搬送機構１１５によりフィルムが搬送され、コマ画像の１ライン目がスキャン位置まで引き戻されて、スキャナ１１により本スキャンが開始される。光源１１１から照射される赤外光及び可視光はフィルムを透過し、可視用ラインセンサ１１３及び赤外用ラインセンサ１１４によりそれぞれ電気信号に変換され、各画素のＲ，Ｇ，Ｂデータ及びＤデータが順次傷消し回路基板１２に出力され、画像メモリ１２２に記憶される。本スキャン時に画像メモリ１２２に記憶される画像データは、図４(ａ)と同様であり、画像メモリ１２２の所定アドレスに各画素のＲ，Ｇ，Ｂデータ及びＤデータが記憶される。
【００３８】
スキャナ１１によるデータ読み取り処理が繰り返し行われ、画像メモリ１２２に１コマ分の画像データが記憶されると、傷消し回路基板１２から本スキャン制御部１４３に対しデータ格納信号が出力される。本スキャン制御部１４３はデータ格納信号を受信すると（ステップＳ１５でＹｅｓ）、ステップＳ１７において傷消し回路基板１２に対し傷消し指示を行う。ノイズ補正部１２３によって、閾値記憶部１２４に記憶される閾値から画像メモリ１２２に記憶される赤外画像の各画素値であるＤデータを減算することにより、傷による各画素の画素値の損失分を算出し、さらに、各画素のＲ，Ｇ，Ｂデータのそれぞれに対し損失分を画素ごとに加算することにより、画像メモリ１２２に記憶された画像データに補正処理を施し、可視画像中に含まれるフィルムの傷等を除去する。
【００３９】
ノイズ補正部１２３により１コマ分の可視画像データの傷消し処理が終了すると、ステップＳ１９において、ノイズ補正部１２３から制御部１４に対し傷消し処理の終了を知らせるための終了信号が出力される。本スキャン制御部１４は、終了信号を受信すると、ステップＳ２１において、傷消し回路基板１２に可視画像データの出力指示を行なう。メモリ制御部１２１は、画像メモリ１２２の可視画像領域から傷消し処理されたＲ，Ｇ，Ｂデータを読み取り、画像処理回路部１３に順次出力する。図４（ｃ）は、本スキャン時にメモリ制御部１２１により画像処理回路部１３に出力される画像データを説明するための図であり、メモリ制御部１２１は各画素のＲ，Ｇ，ＢデータをデータバスＢ２の各データ対応のバスにより伝送する。
【００４０】
画像処理回路部１３に入力されたＲ，Ｇ，Ｂデータは、メモリ制御部１３１により順次画像メモリ１３２に記憶され、１コマ分のＲ，Ｇ、Ｂデータが画像メモリ１３２に記憶されると、画像処理回路部１３から本スキャン制御部１４２に対しデータ格納信号が出力される。本スキャン制御部１４２によってデータ格納信号が受信されると（ステップＳ２３でＹｅｓ）、画像処理回路部１３に対し可視画像データの出力指示がなされると共にデータ出力先として画像形成部３が設定される（ステップＳ２５）。これにより、メモリ制御部１３１は、画像メモリ１３２の可視画像領域から各画素のＲ，Ｇ，Ｂデータ及びＤデータを読み出しデータバスＢ４に出力することで、傷消し処理された可視画像データが画像形成部１４に入力され、画像形成部３による画像形成が行なわれる。
【００４１】
このように，本実施形態では、プレスキャン時にはプレスキャン制御部１４２は傷消し回路基板１２及び画像処理回路１３に対しプレスキャン時特有のデータ出力指示を行なうので、プレスキャン制御部１２１は、従来の傷消し回路基板１２，画像処理回路部１３及びデータバスＢ２，Ｂ３の構成を用いて、画像メモリ１２２に記憶される可視画像データ及び赤外画像データを画像処理回路部１３を介して得ることができ、コマ毎に傷画像検出のための閾値等の傷消し用データを算出し、本スキャン時での画像データの傷消し処理を正確に行なうことができる。
【００４２】
なお、本実施形態では、メモリ制御部１２１は画像メモリ１２２からＲ，Ｇ、Ｂデータ及びＤデータを読み出し出力しているが、傷消し用データ作成の為に必要なデータのみ読み出し、出力するようにしてもよい。
【００４３】
また、本実施形態では、傷消し用データとして閾値を求め、傷消し処理を行っているが、傷消し処理はこの方法に限定されず、傷画像の周辺画素で傷画素を補完する方法もあり、このときに必要なデータを制御部に出力して、補間用の処理データ（パラメータ）を求めるようにしてもよい。
【００４４】
また、本実施形態では、プレスキャンが終了すると、自動的に本スキャンに移行しているが、ユーザが入力操作部により本スキャンの開始指示を行なうことで本スキャンが開始するような構成にしてもよい。
【図面の簡単な説明】
【００４５】
【図１】本実施形態に係るディジタル式写真処理装置の外観斜視図である。
【図２】図１に示すディジタル式写真処理装置の構成を示すブロック図である。
【図３】図２に示す制御部の動作を説明するためのフローチャートである。
【図４】(ａ)はプレスキャン時及び本スキャン時にスキャナから画像メモリに記憶される画像データを表す図であり、（ｂ）はプレスキャン時に傷消し回路基板から画像処理回路部に出力される画像データを表す図であり、（ｃ）は本スキャン時に傷消し回路基板から画像処理回路部に出力される画像データを表す図である。
【図５】閾値算出部による閾値算出方法を説明するためのフローチャートである。
【符号の説明】
【００４６】
１  入力部
２  画像形成部
１１  スキャナ
１２  傷消し回路基板
１３  画像処理回路部
１４  制御部
１１１  光源
１１２  コールドミラー
１１３  可視用ラインセンサ
１１４  赤外用ラインセンサ
１１５  フィルム搬送機構
１２１，１３１メモリ制御部
１２２，１３２画像メモリ
１２３  ノイズ補正部
１２４  閾値記憶部
１３３  画像処理部
１４０  モニタ
１４１  入力操作部
１４２  プレスキャン制御部
１４３  本スキャン制御部
１４４  閾値算出部
【図１】
2005080237.tif 000003
【図２】
2005080237.tif 000004
【図３】
2005080237.tif 000005
【図４】
2005080237.tif 000006
【図５】
2005080237.tif 000007